(57)【要約】【課題】通風路を開放及び閉鎖する機能を維持しつつ、見栄えのさらなる向上を図る。【解決手段】空調用レジスタは、空調用空気Ａ１の通風路１３を有するリテーナ１０を備える。リテーナ１０内には、空調用空気Ａ１の流れ方向の上流側から下流側へ向けて順に、シャットダンパ、上流フィン及び下流フィン４０が配置される。下流フィン４０には、操作ノブ５５がスライド可能に装着される。操作ノブ５５は、自身の少なくとも一部に、上記流れ方向における上流側及び下流側へ移動可能に構成されたスイッチ部６１を有する。スイッチ部６１とシャットダンパとの間には、同スイッチ部６１の上記流れ方向の動きを回動運動に変換してダンパ軸７８に伝達し、シャットダンパを傾動させる伝達機構８０が設けられている。【選択図】図１
2020015374.tif 000002
【特許請求の範囲】
【請求項１】
空調用空気の流れ方向の下流端に吹出口を有する通風路が形成されたリテーナと、前記流れ方向に交差する方向へ延び、かつ下流フィン軸により前記リテーナに対し、少なくとも傾動可能に支持された下流フィンと、前記下流フィンに対し、少なくとも同下流フィンの延びる方向にスライド可能に装着された操作ノブと、前記流れ方向における前記下流フィンよりも上流において、同流れ方向及び前記下流フィンの延びる方向の両者に対し交差する方向へ延び、かつ上流フィン軸により前記リテーナに支持され、前記操作ノブのスライドに応じて傾動される上流フィンと、前記流れ方向における前記上流フィンよりも上流に配置されて、ダンパ軸により前記リテーナに支持され、前記通風路を開放する開位置及び閉鎖する閉位置の間で傾動するシャットダンパとを備え、
前記操作ノブは、自身の少なくとも一部に、前記流れ方向における上流側及び下流側へ移動可能に構成されたスイッチ部を有し、
前記スイッチ部と前記シャットダンパとの間には、前記スイッチ部の前記流れ方向の動きを回動運動に変換して前記ダンパ軸に伝達し、同シャットダンパを傾動させる伝達機構が設けられている空調用レジスタ。
【請求項２】
前記伝達機構は、
支軸により前記リテーナに傾動可能に支持され、かつ前記支軸から離れた箇所にピンを有する駆動レバーと、
前記ダンパ軸に固定され、かつ前記ダンパ軸から離れた箇所にピンを有する従動レバーと、
両ピンを連結するリンク部材と、
前記スイッチ部の前記流れ方向の動きを前記駆動レバーに伝達して、前記支軸を支点として同駆動レバーを傾動させる伝達部と
を備える請求項１に記載の空調用レジスタ。
【請求項３】
前記伝達部は、
前記駆動レバーにおいて前記支軸から離れた箇所に係合された係合ピンと、
前記スイッチ部及び前記係合ピンを繋ぐ接続部と
を備えている請求項２に記載の空調用レジスタ。
【請求項４】
前記係合ピン及び前記接続部は、前記操作ノブの装着された前記下流フィンの一部を構成するものであり、
前記下流フィンの前記係合ピン及び前記接続部とは異なる部分は、前記下流フィン軸により前記リテーナに傾動可能に支持された下流フィン本体により構成され、
前記係合ピンは前記下流フィン軸に挿通されて、前記駆動レバーに係合されており、
前記スイッチ部は前記操作ノブの一部により構成され、
前記操作ノブの前記スイッチ部とは異なる部分は、前記下流フィン本体に対し前記下流フィンの延びる方向にスライド可能に装着されたノブ本体により構成されている請求項３に記載の空調用レジスタ。
【請求項５】
前記操作ノブでは、前記ノブ本体が前記スイッチ部に対し、前記下流フィンの延びる方向への相対移動を規制された状態で組み付けられており、
前記スイッチ部、前記伝達部及び前記係合ピンは、前記下流フィン本体に対し、前記下流フィンの延びる方向にスライド可能に取り付けられている請求項４に記載の空調用レジスタ。
【請求項６】
前記操作ノブでは、前記ノブ本体が前記スイッチ部に対し、前記下流フィンの延びる方向への相対移動を許容された状態で組み付けられており、
前記スイッチ部、前記伝達部及び前記係合ピンは、前記下流フィン本体に対し、前記下流フィンの延びる方向へのスライドを規制された状態で取り付けられている請求項４に記載の空調用レジスタ。
【請求項７】
前記スイッチ部は前記操作ノブの全体により構成され、
前記操作ノブの装着された前記下流フィンは、前記下流フィン軸により、前記リテーナに対し、傾動可能、かつ前記流れ方向における上流側及び下流側へ移動可能に支持されており、
前記操作ノブは、前記下流フィンに対し、前記流れ方向への相対移動を規制された状態で装着されており、
前記下流フィン軸は、前記駆動レバーにおいて前記支軸から離れた箇所に係合されており、
前記伝達部は、前記操作ノブの装着された前記下流フィン及び前記下流フィン軸により構成されている請求項２に記載の空調用レジスタ。
【請求項８】
前記伝達機構は、前記流れ方向における下流側への前記スイッチ部の移動に伴い、前記通風路を開く側へシャットダンパを傾動させ、かつ上流側への前記スイッチ部の移動に伴い、前記通風路を閉じる側へシャットダンパを傾動させるものであり、
前記伝達機構には、前記スイッチ部に対し、前記シャットダンパを前記閉位置にするための位置まで移動させる操作が行なわれた場合に、その操作後の位置に前記スイッチ部を保持し、前記スイッチ部に対し、さらに前記流れ方向における上流側へ移動させる操作が行なわれた場合に、前記保持を解除する保持機構が設けられている請求項２〜７のいずれか１項に記載の空調用レジスタ。
【請求項９】
前記保持機構は、前記リンク部材に形成された被把持部と、前記リテーナに設けられた把持部とを備えており、
前記把持部は、前記スイッチ部に対し、前記シャットダンパを前記閉位置にするための位置まで移動させる操作が行なわれた場合に、前記被把持部を把持することで前記スイッチ部を保持し、前記スイッチ部に対し、さらに前記流れ方向における上流側へ移動させる操作が行なわれた場合に、前記被把持部を解放することにより前記保持を解除するラッチ機構により構成されている請求項８に記載の空調用レジスタ。
【請求項１０】
前記保持機構により前記保持が解除された場合に、前記シャットダンパを前記開位置にするための位置まで前記スイッチ部を移動させる復帰機構がさらに設けられている請求項８又は９に記載の空調用レジスタ。
【請求項１１】
前記復帰機構は、前記スイッチ部を、前記シャットダンパを前記開位置にするための位置に近付く側へ付勢する弾性部材を備えている請求項１０に記載の空調用レジスタ。
【発明の詳細な説明】
【技術分野】
【０００１】
本発明は、空調装置から送られてくる空調用空気を通風路の吹出口から吹き出す空調用レジスタに関する。
【背景技術】
【０００２】
例えば、車両のインストルメントパネルには、空調装置から送られてきた空調用空気を車室内に吹き出す空調用レジスタが組込まれている。この空調用レジスタは、空調用空気の通風路を有する筒状のリテーナを備えている。空調用空気の流れ方向における通風路の下流端は、吹出口を構成している。
【０００３】
この空調用レジスタでは、上記流れ方向に交差する方向へ延びる下流フィンがリテーナに傾動可能に支持されている。下流フィンには、操作ノブがその下流フィンの延びる方向へスライド可能に装着されている。上記流れ方向における下流フィンよりも上流では、同流れ方向及び上記下流フィンの延びる方向の両者に対し交差する方向へ延びる上流フィンがリテーナに傾動可能に支持されている。上流フィンは、操作ノブのスライドに応じて傾動される。そして、上流フィン及び下流フィンが傾動されることで、吹出口から吹き出される空調用空気の向きが変更される。
【０００４】
また、上記流れ方向におけるリテーナ内の上流フィンよりも上流側には、シャットダンパが配置されている。シャットダンパは、ダンパ軸を支点として、リテーナの通風路を開放する開位置と、閉鎖する閉位置との間で傾動される。吹出口の周りには、操作ダイヤルが回動可能に支持されている。そして、操作ダイヤルが回動操作されることで、シャットダンパが開位置から閉位置に、又はその逆に閉位置から開位置に切り替えられ、上記流れ方向における上流フィンよりも上流側で通風路が開放及び閉鎖される。
【０００５】
一方で、見栄え向上の観点から、通風路を開放及び閉鎖する機能を維持しつつ上記操作ダイヤルを廃止することのできる空調用レジスタが提案されている。
その１つとして、上流フィン又は下流フィンを通常の空調用レジスタよりも大きく傾動させて、通風路を閉鎖するものがある（例えば、特許文献１参照）。
【０００６】
また、下流フィンに対しスライドする操作ノブを回動可能に構成し、その操作ノブの回動をシャットダンパに伝達することで、通風路を閉鎖するものがある（例えば、特許文献２参照）。
【先行技術文献】
【特許文献】
【０００７】
【特許文献１】特開２０１６−３２９５８号公報
【特許文献２】独国特許出願公開第１０２０１４１００４４１号明細書
【発明の概要】
【発明が解決しようとする課題】
【０００８】
ところが、上記特許文献１に記載された空調用レジスタでは、上流フィン又は下流フィンが吹出口の近くに位置することから、通風路を開放したときにも閉鎖したときにも、その状態が見えやすい。一方で、シャットダンパとして機能する上流フィン又は下流フィンが通風路を開放したときと閉鎖したときとでは、フィンの傾きが大きく異なり、見栄えが大きく異なる。そのため、見栄えの点で改善の余地がある。
【０００９】
また、上記特許文献２に記載された空調用レジスタでは、操作ノブに回動機能を付加するため、単に下流フィンの延びる方向にスライドする一般的な操作ノブとは外観形状が大きく異なってしまう。そのため、この場合にも見栄えの点で改善の余地がある。
【００１０】
本発明は、このような実情に鑑みてなされたものであって、その目的は、通風路を開放及び閉鎖する機能を維持しつつ、見栄えのさらなる向上を図ることのできる空調用レジスタを提供することにある。
【課題を解決するための手段】
【００１１】
上記課題を解決する空調用レジスタは、空調用空気の流れ方向の下流端に吹出口を有する通風路が形成されたリテーナと、前記流れ方向に交差する方向へ延び、かつ下流フィン軸により前記リテーナに対し、少なくとも傾動可能に支持された下流フィンと、前記下流フィンに対し、少なくとも同下流フィンの延びる方向にスライド可能に装着された操作ノブと、前記流れ方向における前記下流フィンよりも上流において、同流れ方向及び前記下流フィンの延びる方向の両者に対し交差する方向へ延び、かつ上流フィン軸により前記リテーナに支持され、前記操作ノブのスライドに応じて傾動される上流フィンと、前記流れ方向における前記上流フィンよりも上流に配置されて、ダンパ軸により前記リテーナに支持され、前記通風路を開放する開位置及び閉鎖する閉位置の間で傾動するシャットダンパとを備え、前記操作ノブは、自身の少なくとも一部に、前記流れ方向における上流側及び下流側へ移動可能に構成されたスイッチ部を有し、前記スイッチ部と前記シャットダンパとの間には、前記スイッチ部の前記流れ方向の動きを回動運動に変換して前記ダンパ軸に伝達し、同シャットダンパを傾動させる伝達機構が設けられている。
【００１２】
上記の構成によれば、操作ノブの少なくとも一部を構成するスイッチ部が操作されて、空調用空気の流れ方向における上流側又は下流側へ移動されると、そのスイッチ部の流れ方向における動きは、伝達機構により回動運動に変換されてダンパ軸に伝達される。シャットダンパは、ダンパ軸を支点として、開位置と閉位置との間で傾動される。シャットダンパは、開位置では通風路を開放し、閉位置では同通風路を閉鎖する。
【００１３】
このように、操作ノブにおけるスイッチ部が操作されることでシャットダンパが傾動される。従って、シャットダンパを傾動させる際に操作される操作ダイヤルが不要となり、吹出口周りがすっきりし、空調用レジスタの見栄えが向上する。
【００１４】
また、シャットダンパは、下流フィン及び上流フィンよりも上記流れ方向における上流に位置していて、吹出口から遠ざかっている。そのため、通風路を開放及び閉鎖する部分（シャットダンパ）が下流側から見えにくく、この点でも空調用レジスタの見栄えが向上する。
【００１５】
さらに、特許文献２のように、スイッチ部が回動操作される場合には、同スイッチ部が操作ノブの外観形状に影響を大きく及ぼす。操作ノブが円柱状となり、高さの低い直方体状をなす一般的な操作ノブの外観形状と大きく異なる。これに対し、上記構成のスイッチ部は、空調用空気の流れ方向における上流側又は下流側へ移動するものであり、操作ノブの少なくとも一部により構成される。そのため、スイッチ部が操作ノブの外観形状に及ぼす影響は少ない。操作ノブの外観形状が一般的な操作ノブの外観形状に対し大きく変わることがなく、この点でも、空調用レジスタの見栄えが向上する。
【００１６】
ところで、シャットダンパが開位置に位置していて通風路が開放されている状態では、空調用空気は同シャットダンパを通過した後、上流フィン及び下流フィンに沿って流れた後、吹出口から吹き出す。
【００１７】
下流フィンが下流フィン軸を支点として傾動されると、空調用空気は、傾動された下流フィンに沿って流れることで、向きを変えられて吹出口から吹き出す。
また、操作ノブが下流フィンの延びる方向へスライドされると、そのスライドに応じて上流フィンが上流フィン軸を支点として傾動される。空調用空気は、傾動された上流フィンに沿って流れることで、向きを変えられて吹出口から吹き出す。
【００１８】
上記空調用レジスタにおいて、前記伝達機構は、支軸により前記リテーナに傾動可能に支持され、かつ前記支軸から離れた箇所にピンを有する駆動レバーと、前記ダンパ軸に固定され、かつ前記ダンパ軸から離れた箇所にピンを有する従動レバーと、両ピンを連結するリンク部材と、前記スイッチ部の前記流れ方向の動きを前記駆動レバーに伝達して、前記支軸を支点として同駆動レバーを傾動させる伝達部とを備えることが好ましい。
【００１９】
上記の構成によれば、スイッチ部が操作されて、空調用空気の流れ方向における上流側又は下流側へ移動されると、その動きは、伝達機構における伝達部により駆動レバーに伝達され、同駆動レバーが支軸を支点として傾動される。この傾動は、リンク部材、従動レバー及びダンパ軸を介してシャットダンパに伝達され、同シャットダンパがダンパ軸を支点として開位置と閉位置との間で傾動される。
【００２０】
上記空調用レジスタにおいて、前記伝達部は、前記駆動レバーにおいて前記支軸から離れた箇所に係合された係合ピンと、前記スイッチ部及び前記係合ピンを繋ぐ接続部とを備えていることが好ましい。
【００２１】
上記の構成によれば、スイッチ部が操作されて空調用空気の流れ方向における上流側又は下流側へ移動されると、その動きは、接続部及び係合ピンを介して、駆動レバーにおいて支軸から離れた箇所に伝達される。この伝達により、駆動レバーが支軸を支点として傾動される。
【００２２】
上記空調用レジスタにおいて、前記係合ピン及び前記接続部は、前記操作ノブの装着された前記下流フィンの一部を構成するものであり、前記下流フィンの前記係合ピン及び前記接続部とは異なる部分は、前記下流フィン軸により前記リテーナに傾動可能に支持された下流フィン本体により構成され、前記係合ピンは前記下流フィン軸に挿通されて、前記駆動レバーに係合されており、前記スイッチ部は前記操作ノブの一部により構成され、前記操作ノブの前記スイッチ部とは異なる部分は、前記下流フィン本体に対し前記下流フィンの延びる方向にスライド可能に装着されたノブ本体により構成されていることが好ましい。
【００２３】
上記の構成によれば、操作ノブにおけるスイッチ部が操作されて、ノブ本体に対し、空調用空気の流れ方向における上流側又は下流側へ移動されると、その動きは、操作ノブの装着された下流フィンにおける接続部及び係合ピンに伝達される。接続部及び係合ピンが、下流フィンにおける下流フィン本体に対し、上記流れ方向における上流側又は下流側へ移動される。この動きは、下流フィン軸に挿通された係合ピンを介して、駆動レバーにおいて支軸から離れた箇所に伝達される。
【００２４】
上記空調用レジスタにおいて、前記操作ノブでは、前記ノブ本体が前記スイッチ部に対し、前記下流フィンの延びる方向への相対移動を規制された状態で組み付けられており、前記スイッチ部、前記伝達部及び前記係合ピンは、前記下流フィン本体に対し、前記下流フィンの延びる方向にスライド可能に取り付けられていることが好ましい。
【００２５】
上記の構成によれば、操作ノブのノブ本体が、下流フィン本体に対し、下流フィンの延びる方向にスライドされると、そのスライドに応じて上流フィンが上流フィン軸を支点として傾動され、空調用空気が上流フィンによって流れの向きを変えられて吹出口から吹き出す。また、このときには、スイッチ部、伝達部及び係合ピンがノブ本体と一緒に、下流フィン本体に対し、下流フィンの延びる方向へスライドする。
【００２６】
上記空調用レジスタにおいて、前記操作ノブでは、前記ノブ本体が前記スイッチ部に対し、前記下流フィンの延びる方向への相対移動を許容された状態で組み付けられており、前記スイッチ部、前記伝達部及び前記係合ピンは、前記下流フィン本体に対し、前記下流フィンの延びる方向へのスライドを規制された状態で取り付けられていることが好ましい。
【００２７】
上記の構成によれば、操作ノブのノブ本体が、下流フィン本体に対し、下流フィンの延びる方向にスライドされると、そのスライドに応じて上流フィンが上流フィン軸を支点として傾動され、空調用空気が上流フィンによって流れの向きを変えられて吹出口から吹き出す。また、このときには、スイッチ部、伝達部及び係合ピンは、下流フィン本体に対し、下流フィンの延びる方向へスライドしない。
【００２８】
上記空調用レジスタにおいて、前記スイッチ部は前記操作ノブの全体により構成され、前記操作ノブの装着された前記下流フィンは、前記下流フィン軸により、前記リテーナに対し、傾動可能、かつ前記流れ方向における上流側及び下流側へ移動可能に支持されており、前記操作ノブは、前記下流フィンに対し、前記流れ方向への相対移動を規制された状態で装着されており、前記下流フィン軸は、前記駆動レバーにおいて前記支軸から離れた箇所に係合されており、前記伝達部は、前記操作ノブの装着された前記下流フィン及び前記下流フィン軸により構成されていることが好ましい。
【００２９】
上記の構成によれば、スイッチ部を構成する操作ノブの全体が操作されて空調用空気の流れ方向における上流側又は下流側へ移動されると、操作ノブの装着された下流フィンは、操作ノブと一緒に同方向へ移動する。この移動は、伝達機構における伝達部、この場合、操作ノブの装着された下流フィン及び下流フィン軸を介して、駆動レバーにおいて支軸から離れた箇所に伝達される。この伝達により、駆動レバーが支軸を支点として傾動される。
【００３０】
上記空調用レジスタにおいて、前記伝達機構は、前記流れ方向における下流側への前記スイッチ部の移動に伴い、前記通風路を開く側へシャットダンパを傾動させ、かつ上流側への前記スイッチ部の移動に伴い、前記通風路を閉じる側へシャットダンパを傾動させるものであり、前記伝達機構には、前記スイッチ部に対し、前記シャットダンパを前記閉位置にするための位置まで移動させる操作が行なわれた場合に、その操作後の位置に前記スイッチ部を保持し、前記スイッチ部に対し、さらに前記流れ方向における上流側へ移動させる操作が行なわれた場合に、前記保持を解除する保持機構が設けられていることが好ましい。
【００３１】
上記の構成によれば、スイッチ部が操作されて、空調用空気の流れ方向における下流側へ移動されると、その移動は、伝達機構における伝達部、駆動レバー、リンク部材、従動レバー及びダンパ軸を介してシャットダンパに伝達され、同シャットダンパがダンパ軸を支点として通風路を開く側へ傾動される。
【００３２】
また、スイッチ部が操作されて、空調用空気の流れ方向における上流側へ移動されると、その移動は、伝達機構における伝達部、駆動レバー、リンク部材、従動レバー及びダンパ軸を介してシャットダンパに伝達され、同シャットダンパがダンパ軸を支点として通風路を閉じる側へ傾動される。
【００３３】
スイッチ部に対し、シャットダンパを閉位置にするための位置まで移動させる操作が行なわれると、保持機構により、スイッチ部がその操作後の位置に保持される。
スイッチ部に対し、さらに上流側へ移動させる操作が行なわれると、保持機構では、上記保持が解除され、スイッチ部を上記流れ方向における下流側へ移動させることが可能となる。
【００３４】
上記空調用レジスタにおいて、前記保持機構は、前記リンク部材に形成された被把持部と、前記リテーナに設けられた把持部とを備えており、前記把持部は、前記スイッチ部に対し、前記シャットダンパを前記閉位置にするための位置まで移動させる操作が行なわれた場合に、前記被把持部を把持することで前記スイッチ部を保持し、前記スイッチ部に対し、さらに前記流れ方向における上流側へ移動させる操作が行なわれた場合に、前記被把持部を解放することにより前記保持を解除するラッチ機構により構成されていることが好ましい。
【００３５】
上記の構成によれば、スイッチ部に対し、シャットダンパを閉位置にするための位置まで移動させる操作が行なわれると、保持機構では、リンク部材に形成された被把持部が、把持部におけるラッチ機構により把持される。この把持により、スイッチ部が操作後の上記位置に保持される。
【００３６】
スイッチ部に対し、さらに上記流れ方向における上流側へ移動させる操作が行なわれると、保持機構では、被把持部からラッチ機構が離脱させられて、上記保持が解除される。
上記空調用レジスタにおいて、前記保持機構により前記保持が解除された場合に、前記シャットダンパを前記開位置にするための位置まで前記スイッチ部を移動させる復帰機構がさらに設けられていることが好ましい。
【００３７】
上記の構成によれば、スイッチ部に対し、上記流れ方向における上流側であって、シャットダンパを閉位置にするための位置まで移動させる操作が行なわれると、スイッチ部は保持機構により操作後の上記位置に保持される。スイッチ部に対し、さらに上記流れ方向における上流側へ移動させる操作が行なわれると、保持機構によるスイッチ部の保持が解除される。すると、スイッチ部が復帰機構により、上記流れ方向における下流側であって、シャットダンパを開位置にするための位置まで移動される。
【００３８】
上記空調用レジスタにおいて、前記復帰機構は、前記スイッチ部を、前記シャットダンパを前記開位置にするための位置に近付く側へ付勢する弾性部材を備えていることが好ましい。
【００３９】
上記の構成によれば、弾性部材の弾性力に抗して、スイッチ部に対し、上記流れ方向における上流側であって、シャットダンパを閉位置にするための位置まで移動させる操作が行なわれると、スイッチ部は保持機構により操作後の上記位置に保持される。スイッチ部に対し、さらに上記流れ方向における上流側へ移動させる操作が行なわれると、保持機構によるスイッチ部の保持が解除される。すると、スイッチ部が弾性部材の弾性力により、上記流れ方向における下流側であって、シャットダンパを開位置にするための位置まで移動させられる。
【発明の効果】
【００４０】
上記空調用レジスタによれば、通風路を開放及び閉鎖する機能を維持しつつ、見栄えのさらなる向上を図ることができる。
【図面の簡単な説明】
【００４１】
【図１】（ａ）は、第１実施形態における空調用レジスタの斜視図、（ｂ）は図１（ａ）の一部を拡大して示す部分斜視図。
【図２】第１実施形態の空調用レジスタにおける一部の構成部材を示す分解斜視図。
【図３】同じく、第１実施形態の空調用レジスタにおける一部の構成部材を示す分解斜視図。
【図４】同じく、第１実施形態の空調用レジスタにおける一部の構成部材を示す分解斜視図。
【図５】（ａ）は、シャットダンパが開位置まで傾動された第１実施形態における空調用レジスタの側面図、（ｂ）は、シャットダンパが閉位置まで傾動された第１実施形態における空調用レジスタの側面図。
【図６】（ａ）は、下流フィンが上壁部及び底壁部に対し略平行な状態にされた第１実施形態における空調用レジスタの部分側断面図、（ｂ）は、下流フィンが下流側ほど低くなるように傾斜された第１実施形態における空調用レジスタの部分側断面図。
【図７】ノブ本体が中立状態にされた第１実施形態における空調用レジスタの部分平断面図。
【図８】（ａ）は、図７のノブ本体が右方へスライドされた空調用レジスタの部分平断面図、（ｂ）は図７のスイッチ部が上流側へ移動された空調用レジスタの部分平断面図。
【図９】第２実施形態における空調用レジスタの斜視図。
【図１０】ノブ本体が中立状態にされた第２実施形態の空調用レジスタの部分平断面図。
【図１１】（ａ）は、図１０のノブ本体が右方へスライドされた空調用レジスタの部分平断面図、（ｂ）は図１０のスイッチ部が上流側へ移動された空調用レジスタの部分平断面図。
【図１２】第３実施形態における空調用レジスタの斜視図。
【図１３】操作ノブが中立状態にされた第３実施形態における空調用レジスタの部分平断面図。
【図１４】（ａ）は、図１３の操作ノブが右方へスライドされた空調用レジスタの部分平断面図、（ｂ）は図１３の操作ノブが下流フィンを伴って上流側へ移動された空調用レジスタの部分平断面図。
【発明を実施するための形態】
【００４２】
（第１実施形態）
以下、車両用の空調用レジスタに具体化した第１実施形態について、図１〜図８を参照して説明する。
【００４３】
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００４４】
車室内において、車両の前席（運転席及び助手席）の前方にはインストルメントパネルが設けられ、その左右方向における中央部、側部等には空調用レジスタが組込まれている。
【００４５】
図１（ａ）及び図４に示すように、空調用レジスタは、リテーナ１０、１つの下流フィン４０、操作ノブ５５、複数の上流フィン、シャットダンパ７５及び伝達機構８０を備えている。次に、これら各部の構成について説明する。
【００４６】
＜リテーナ１０＞
リテーナ１０は、上流リテーナ１１と、その上流リテーナ１１に隣接した状態で配置されて、同上流リテーナ１１に連結された下流リテーナ１２とを備えている。上流リテーナ１１及び下流リテーナ１２は、いずれも硬質の樹脂材料によって形成されている。リテーナ１０は、両端が開放され、かつ左右方向の寸法が上下方向の寸法よりも大きな四角筒状をなしている。
【００４７】
リテーナ１０の内部空間は、空調装置（図示略）から送られてくる空調用空気Ａ１の流路（以下「通風路１３」という）を構成している。ここで、通風路１３での空調用空気Ａ１の流れ方向について、空調装置に近い側を上流側とし、同空調装置から遠い側を下流側とする。通風路１３の下流端は、空調用空気Ａ１の吹出口１４を構成している。
【００４８】
上記通風路１３は、リテーナ１０の４つの壁部によって取り囲まれている。これらの４つの壁部は、左右方向に相対向する一対の側壁部１５，１６と、互いに上下方向に相対向する上壁部１７及び底壁部１８とからなる。
【００４９】
図３に示すように、各側壁部１５，１６の内面であって、下流リテーナ１２の下流部となる箇所には、それぞれ下流シム２１が組み込まれている。各側壁部１５，１６及び各下流シム２１には、軸受孔２２が形成されている。各軸受孔２２は、略円形の孔本体２３と、孔本体２３から上流側へ延びる延長部２４とを備えている。
【００５０】
図４及び図６（ａ）に示すように、底壁部１８において、下流リテーナ１２及び上流リテーナ１１の境界部分となる箇所には、左右方向に延びる上流シム２５が組み付けられている。
【００５１】
各側壁部１５，１６であって、上記上流シム２５よりも上流側には、軸受孔２８が形成されている。
図３及び図４に示すように、底壁部１８の下流部であって、左右方向における両端部には、それぞれ下方へ突出する軸受部３１が形成されている。
【００５２】
側壁部１５の外面であって、軸受孔２２よりも高く、かつ同軸受孔２２の上流近傍となる箇所には、下流支持部３３が形成されている。また、側壁部１５の外面であって、下流支持部３３と上記軸受孔２８との間には、上流支持部３５が形成されている。上流支持部３５の下部には、後述するラッチ機構９８を取付けるための取付孔３６が形成されている。
【００５３】
側壁部１５の外面であって、下流支持部３３の略下方には、左右方向へ延びる支持ピン３４が固定されている。
＜下流フィン４０＞
図３及び図７に示すように、下流フィン４０は、下流リテーナ１２内であって、上下方向における中央部分に配置されている。下流フィン４０は、左右方向及び空調用空気Ａ１の流れ方向に延びる板状をなしている。左右方向は、空調用空気Ａ１の流れ方向に対し交差する方向の１つである。
【００５４】
下流フィン４０は、下流フィン本体４１及び伝達部４７を備えている。下流フィン本体４１は、その上半部を構成する上部材４２と、下半部を構成する下部材４３とを相互に組み付けることによって構成されている。
【００５５】
左右方向における下流フィン本体４１の両端部には、同方向に延びる下流フィン軸３９が設けられている。両下流フィン軸３９は、上記流れ方向における下流フィン本体４１の下流部に位置している。下流フィン本体４１は、両下流フィン軸３９において上記軸受孔２２の孔本体２３に支持されており、両下流フィン軸３９を支点として上下方向へ傾動可能である。
【００５６】
また、下流フィン本体４１には、上流端縁から下流端縁に向けて延びる切欠部４４が形成されている。切欠部４４は、左右方向における下流フィン本体４１の中央部分に形成されている。
【００５７】
下流フィン本体４１には、左右方向に延びる横ガイド孔４５と、その横ガイド孔４５よりも下流側で上記流れ方向に延びる縦ガイド孔４６とが形成されている。横ガイド孔４５の左右方向における両端部は、下流フィン軸３９の設けられていない箇所では、下流フィン本体４１の同方向における両端面に開口し、下流フィン軸３９の設けられている箇所では、その下流フィン軸３９の端面において開口している。
【００５８】
縦ガイド孔４６は、左右方向における下流フィン本体４１の中央部分に形成されている。縦ガイド孔４６の上流端は横ガイド孔４５に繋がり、下流端は下流フィン本体４１の下流端面において開口している。
【００５９】
一方、伝達部４７は、接続部４８及び一対の係合ピン４９を備えている。接続部４８は、左右方向に延びる板状をなしており、上記横ガイド孔４５内に左右方向へスライド可能かつ空調用空気Ａ１の流れ方向の上流側及び下流側へ移動可能に配置されている。両係合ピン４９は、左右方向に延びており、接続部４８の同方向における両端部に一体に設けられている。各係合ピン４９は、対応する下流フィン軸３９に挿通されている。
【００６０】
＜操作ノブ５５＞
操作ノブ５５は、ノブ本体５６及びスイッチ部６１を備えている。ノブ本体５６には、左右方向に延びる横ガイド孔５７と、その横ガイド孔５７の下流側で上記流れ方向に延びる縦ガイド孔５８とが形成されている。横ガイド孔５７の左右方向における両端部は、ノブ本体５６の同方向における両端面において開口されている。縦ガイド孔５８の上流端は横ガイド孔５７に繋がり、下流端はノブ本体５６の下流端面において開口している。
【００６１】
ノブ本体５６の左右方向の寸法は、切欠部４４の同方向の寸法よりも小さく設定されている。また、横ガイド孔５７の上記流れ方向における寸法は、下流フィン本体４１において切欠部４４の設けられた箇所の同流れ方向における寸法よりも若干大きく設定されている。そして、ノブ本体５６は、横ガイド孔５７において、下流フィン本体４１において切欠部４４の設けられた箇所に対し、左右方向へスライド可能に装着されている。
【００６２】
ノブ本体５６における縦ガイド孔５８の左右方向の寸法は、下流フィン本体４１における縦ガイド孔４６の左右方向の寸法よりも小さく設定されている。
スイッチ部６１は、押圧部６２と、同押圧部６２から上流側へ延びて、上記接続部４８に連結された連結部６３とを備えている。従って、スイッチ部６１は、上記伝達部４７及び係合ピン４９と一緒に、下流フィン本体４１に対し左右方向へスライド可能である。押圧部６２の左右方向の寸法は、縦ガイド孔５８の同方向の寸法よりも若干小さく設定されている。この設定により、ノブ本体５６は、押圧部６２に対し左右方向へ相対移動することを規制されている。従って、ノブ本体５６は、スイッチ部６１と一緒に、下流フィン本体４１に対し左右方向へスライド可能である。また、押圧部６２は、ノブ本体５６に対し、上記流れ方向における上流側及び下流側へ移動可能である。
【００６３】
連結部６３の左右方向の寸法は、押圧部６２及び縦ガイド孔４６，５８の同方向の各寸法よりも小さく設定されている。そのため、連結部６３は、縦ガイド孔４６に対し左右方向へ往復動可能である。
【００６４】
ノブ本体５６には、上流側へ向けて延びる二股状のフォーク部６４が、軸６５（図６（ａ），（ｂ）参照）により上下方向へ傾動可能に支持されている。
＜上流フィン＞
図７に示すように、複数の上流フィンは、リテーナ１０内において、下流フィン４０よりも上流側であって、左右方向へ互いに離間した複数箇所において、互いに平行な状態で配置されている。各上流フィンは、上下方向及び上記流れ方向に延びる板状をなしている。上流フィンが延びる上下方向は、上記流れ方向と、下流フィン４０が延びる左右方向とに対し交差（直交）する方向である。
【００６５】
ここで、複数の上流フィンを区別するために、左右方向における中央部に位置するものを「上流フィン６６」といい、それ以外のものを「上流フィン６７」というものとする。
図４及び図６（ａ）に示すように、各上流フィン６６，６７の上下方向における両端部には、同方向へ延びる上流フィン軸６８が設けられている。各上流フィン軸６８は、空調用空気Ａ１の上記流れ方向については、上流フィン６６，６７の中央部分に位置している。各上流フィン６６，６７は、上下両上流フィン軸６８において上壁部１７及び上流シム２５に支持されており、上下両上流フィン軸６８を支点として左右方向へ傾動可能である。
【００６６】
各上流フィン６６，６７における上方の上流フィン軸６８は、上壁部１７よりも上方へ突出している。上流フィン６６，６７毎の上流フィン軸６８の上記突出部分には、それぞれ径方向外方へ延びるアーム６９が形成されている。各アーム６９は、上流フィン軸６８から離れた箇所に、上下方向へ延びる連結ピン７１を有している。
【００６７】
上流フィン６６，６７毎の連結ピン７１は、左右方向へ延びる長尺状の連結ロッド７２によって連結されている。そして、これらの上流フィン６６，６７、上流フィン軸６８、アーム６９、連結ピン７１及び連結ロッド７２により、上流フィン６６に同期した状態で他の全ての上流フィン６７を傾動させる平行リンク機構Ｌ１が構成されている。なお、図１（ａ）及び図４では、アーム６９、連結ピン７１及び連結ロッド７２の図示が省略されている。この点は、第２実施形態の説明に用いられる図９と、第３実施形態の説明に用いられる図１２とについても同様である。
【００６８】
上流フィン６６は、他の上流フィン６７とは異なり、切欠部７３及び伝達軸部７４を有している。切欠部７３は、上記流れ方向については、上流フィン６６の下流部に位置している。また、伝達軸部７４は、切欠部７３の下流端において上下方向へ延びており、切欠部７３の上下の壁面間に架け渡されている。伝達軸部７４は、上記フォーク部６４によって左右両側から挟み込まれている。そのため、ノブ本体５６が下流フィン４０に沿って左右方向へスライドされると、フォーク部６４及び伝達軸部７４を通じて上流フィン６６に同方向の力が加えられ、同上流フィン６６が上下両上流フィン軸６８を支点として同方向へ傾動される。
【００６９】
＜シャットダンパ７５＞
図６（ａ）及び図７に示すように、シャットダンパ７５は、リテーナ１０内の上流フィン６６，６７よりも上流側に配置されている。シャットダンパ７５は、硬質の樹脂材料によって形成されたダンパプレート７６と、リテーナ１０及びダンパプレート７６よりも軟質の樹脂材料によって形成されたシール部材７７とを備えている。ダンパプレート７６は、上記流れ方向よりも左右方向に細長い長方形の板状に形成されている。シール部材７７は、ダンパプレート７６の周囲に装着されている。ダンパプレート７６には、左右方向へ延びるダンパ軸７８が設けられている。ダンパ軸７８は、軸受孔２８に挿通されている。シャットダンパ７５は、ダンパ軸７８において側壁部１５に支持されている。シャットダンパ７５は、図６（ａ）において実線で示す開位置と、二点鎖線で示す閉位置との間で傾動可能である。
【００７０】
＜伝達機構８０＞
図１（ｂ）及び図２に示すように、伝達機構８０は、駆動レバー８１、従動レバー８７及びリンク部材９１を備えている。上述した伝達部４７は、伝達機構８０の一部を構成している。
【００７１】
底壁部１８の下流部の下方には、左右方向に延びるシャフトからなる支軸８２が配置されている。この支軸８２は、左右の両軸受部３１により、下流リテーナ１２に対し回動可能に支持されている。
【００７２】
駆動レバー８１は、側壁部１５の左方近傍で、支軸８２の左方の端部に固定されている。駆動レバー８１は、支軸８２から径方向における外方へ延びている。駆動レバー８１において支軸８２から離れた箇所には、左右方向に延びるピン８３が設けられている。
【００７３】
従動レバー８７は、側壁部１５の左方近傍でダンパ軸７８に固定されている。従動レバー８７は、ダンパ軸７８から径方向における外方へ延びている。従動レバー８７においてダンパ軸７８から離れた箇所には、左右方向に延びるピン８８が設けられている。
【００７４】
リンク部材９１は、上記流れ方向に延びる長尺板状をなす本体部９２と、同流れ方向における上記本体部９２の中間部分から下方へ突出する突出部９３とを備えている。本体部９２は、上記下流支持部３３及び上流支持部３５により、リテーナ１０に対し上記流れ方向における上流側及び下流側へ移動可能に支持されている。
【００７５】
本体部９２の下流端部には、上下方向に延びる下流長孔９４が形成されており、上記駆動レバー８１のピン８３がこの下流長孔９４に挿通されている。本体部９２の上流端部には、上下方向に延びる上流長孔９５が形成されており、上記従動レバー８７のピン８８がこの上流長孔９５に挿通されている。このようにして、両ピン８３，８８がリンク部材９１によって連結されている。
【００７６】
突出部９３の下端部には、支持ピン９６が固定されている。
図１（ａ），（ｂ）及び図２に示すように、駆動レバー８１において、支軸８２とピン８３との間には、略上下方向に延びる長孔８４が形成されている。そして、上述した係合ピン４９がこの長孔８４に係合されている。
【００７７】
また、側壁部１６の右方近傍にはレバー８５が配置されている。レバー８５は、支軸８２の右方の端部に固定されている。レバー８５は、支軸８２から径方向における外方へ延びている。レバー８５において支軸８２から離れた箇所には、略上下方向に延びる長孔８６が形成されている。そして、上述した係合ピン４９がこの長孔８６に係合されている。
【００７８】
図１（ｂ）及び図５（ａ）に示すように、伝達機構８０は、さらに保持機構Ｈ１及び復帰機構Ｒ１を備えている。
保持機構Ｈ１は、リンク部材９１に形成された被把持部９７と、リテーナ１０に設けられた把持部とを備えている。被把持部９７は、突出部９３から上流側へ突出している。把持部は、上記取付孔３６に挿通されて上流支持部３５に取り付けられたラッチ機構９８によって構成されている。ラッチ機構９８は、スイッチ部６１に対し、シャットダンパ７５を閉位置にするための位置まで移動させる押圧操作が行なわれた場合に、被把持部９７を把持することで、その操作後の位置にスイッチ部６１を保持する。また、ラッチ機構９８は、スイッチ部６１に対し、さらに上流側へ移動させる押圧操作が行なわれた場合に、被把持部９７を解放することにより上記保持を解除する。
【００７９】
復帰機構Ｒ１は、上記保持機構Ｈ１により保持が解除された場合に、シャットダンパ７５を開位置にするための位置までスイッチ部６１を移動させるための機構であり、リテーナ１０の側壁部１５に設けられた上記支持ピン３４と、突出部９３の支持ピン９６と、両支持ピン３４，９６間に架け渡された弾性部材９９とを備えている。第１実施形態では、弾性部材９９としてコイルばねが用いられている。弾性部材９９は、突出部９３を介してリンク部材９１を常に下流側へ付勢している。この弾性部材９９により、スイッチ部６１は、シャットダンパ７５を開位置にするための位置に近付く側へ付勢されている。
【００８０】
次に、上記のように構成された第１実施形態の空調用レジスタの作用及び効果について説明する。
図５（ａ）及び図７は、保持機構Ｈ１におけるラッチ機構９８が被把持部９７を解放しているときの空調用レジスタの各部の状態を示している。このときには、弾性部材９９の弾性力が、リンク部材９１、駆動レバー８１及び係合ピン４９を介して接続部４８に作用している。下流側へ向かう力が加わった接続部４８は、横ガイド孔４５の最下流部に位置している。接続部４８に対し連結部６３を介して連結された押圧部６２の一部（下流端部）は、ノブ本体５６から下流側へ僅かに突出している。係合ピン４９は、支軸８２よりも下流側に位置している。駆動レバー８１は、上部ほど下流側に位置するように傾斜した状態となっている。
【００８１】
また、このときには、リンク部材９１の上流端部に連結されたピン８８は、ダンパ軸７８よりも下流側に位置している。従動レバー８７が、上部ほど下流側に位置するように傾斜した状態となり、シャットダンパ７５が開位置に保持されている。
【００８２】
開位置では、シャットダンパ７５は、図６において実線で示すように、上壁部１７及び底壁部１８の間の中央部分で、空調用空気Ａ１の流れ方向に対し平行に近い状態となる。通風路１３が大きく開放され（全開となり）、空調用空気Ａ１はシャットダンパ７５の上側と下側とに分かれて流れる。
【００８３】
図６（ａ）及び図７は、シャットダンパ７５が開位置に保持された状態で、操作ノブ５５のノブ本体５６が、上壁部１７及び底壁部１８に対し略平行であり、かつ側壁部１５，１６間の中央部分に位置するときの空調用レジスタの各部の状態を示している。このときのノブ本体５６の状態を「中立状態」というものとする。
【００８４】
各上流フィン６６，６７は、両側壁部１５，１６に対し略平行となっている。また、下流フィン４０は、上壁部１７及び底壁部１８に対し略平行となっている。そのため、シャットダンパ７５を通過した空調用空気Ａ１は、各上流フィン６６，６７及び下流フィン４０に沿って流れる。この際、空調用空気Ａ１は、左右方向にも上下方向にも流れ方向をほとんど変えられることなく、吹出口１４から下流側へ真っ直ぐ吹き出される。
【００８５】
上記中立状態のノブ本体５６の下流端に対し、厚み方向の一方、例えば、図６（ａ）において二点鎖線の矢印で示すように、下方へ向かう力が加えられると、図６（ｂ）に示すように、下流フィン本体４１が、接続部４８及び係合ピン４９を伴い、下流フィン軸３９を支点として、同図６（ａ）の時計回り方向へ傾動される。下流フィン本体４１は、下流側ほど低くなるように傾斜した状態になる。このときには、下流フィン本体４１の動きは、フォーク部６４を介して伝達軸部７４に伝達されず、上流フィン６６，６７は傾動されない。
【００８６】
従って、通風路１３を流れる空調用空気Ａ１は、下流フィン４０に沿って流れることで、斜め下方へ向きを変えられて吹出口１４から吹き出す。
なお、中立状態のノブ本体５６の下流端に対し、上方へ向かう力が加えられると、下流フィン本体４１は上記とは逆の動作を行い、下流側ほど高くなるように傾斜した状態になる。空調用空気Ａ１は、斜め上方へ向きを変えられて吹出口１４から吹き出す。このように、操作ノブ５５を操作した方向へ空調用空気Ａ１が吹き出される。
【００８７】
また、中立状態のノブ本体５６に対し、左右方向の一方、例えば図７において二点鎖線の矢印で示すように、右方に向かう力が加えられると、図８（ａ）に示すように、同ノブ本体５６がスイッチ部６１及びフォーク部６４を伴い、下流フィン本体４１上を同方向へスライドする。スイッチ部６１に連結された接続部４８と、その接続部４８の左右両側の係合ピン４９とがノブ本体５６と一緒に同方向へスライドする。
【００８８】
伝達軸部７４がフォーク部６４によってノブ本体５６の移動方向と同方向へ押され、上流フィン６６が上下両上流フィン軸６８を支点として、図７の反時計回り方向へ傾動される。上流フィン６６の傾動は、平行リンク機構Ｌ１（図６（ａ）参照）を介して全ての上流フィン６７に伝達される。その結果、上流フィン６６に連動して、全ての上流フィン６７が上下両上流フィン軸６８を支点として上流フィン６６と同方向へ傾動される。各上流フィン６６，６７は、図８（ａ）に示すように、下流側ほど側壁部１６に近づくように傾斜した状態になる。
【００８９】
従って、通風路１３を流れる空調用空気Ａ１は、各上流フィン６６，６７に沿って流れることで、斜め右方へ向きを変えられて吹出口１４から吹き出す。
なお、中立状態のノブ本体５６に対し、左方へ向かう力が加えられると、図示はしないが、下流フィン本体４１は上記とは逆の動作を行い、下流側ほど側壁部１５に近づくように傾斜した状態になる。空調用空気Ａ１は、斜め左方へ向きを変えられて吹出口１４から吹き出す。
【００９０】
ところで、シャットダンパ７５によって通風路１３を閉鎖する場合には、スイッチ部６１の押圧部６２が、図７において二点鎖線の矢印で示すように、弾性部材９９の弾性力に抗して押圧される。この押圧により押圧部６２が上流側へ移動すると、図８（ｂ）に示すように、押圧部６２に対し連結部６３を介して連結された接続部４８が、下流フィン本体４１の横ガイド孔４５内を上流側へ移動する。接続部４８の上記移動は、同接続部４８の左右両端に設けられ、かつ下流フィン本体４１の下流フィン軸３９に挿通された係合ピン４９を介して、駆動レバー８１及びレバー８５において、支軸８２から離れた箇所（長孔８４，８６）に伝達される。これらの伝達により、駆動レバー８１及びレバー８５は、支軸８２を支点として図５（ａ）の反時計回り方向へ傾動される。この傾動は、下流端部においてピン８３に連結されたリンク部材９１に伝達される。リンク部材９１は、弾性部材９９を上流側へ伸長させながら、上流側へ移動する。リンク部材９１の上記移動は、上記ピン８８を介して従動レバー８７に伝達される。従動レバー８７が、ダンパ軸７８を支点として図５（ａ）の反時計回り方向へ傾動される。これに伴い、シャットダンパ７５が図５（ｂ）に示すように、ダンパ軸７８を支点として通風路１３を閉じる側へ傾動される。
【００９１】
スイッチ部６１が、可動範囲の上流端まで押圧されると、シャットダンパ７５が閉位置に到達し、同シャットダンパ７５の傾動が止まる。また、リンク部材９１の被把持部９７が、ラッチ機構９８によって把持される。この把持により、スイッチ部６１が上記操作後（押圧後）の位置に保持される。閉位置では、シャットダンパ７５は、図６（ａ）において二点鎖線で示すように、上記流れ方向に対し大きく傾斜し、シール部材７７が上壁部１７及び底壁部１８に接触した状態となって、通風路１３を閉鎖する。
【００９２】
そのため、シャットダンパ７５よりも上流側の空調用空気Ａ１は、シール部材７７とリテーナ１０との隙間を通って、シャットダンパ７５よりも下流側へ流れることを規制される。
【００９３】
上記の状態から、スイッチ部６１の押圧部６２がさらに上流側へ押圧操作されると、図５（ａ）に示すように、ラッチ機構９８が被把持部９７を解放する。この開放により、スイッチ部６１の上記保持が解除される。リンク部材９１は、弾性部材９９の弾性力によって下流側へ移動する。この移動は、ピン８３を介して駆動レバー８１に伝達され、同駆動レバー８１が支軸８２を支点として図５（ａ）の時計回り方向へ傾動される。この傾動が、図８（ｂ）に示すように、下流フィン本体４１の下流フィン軸３９に挿通された係合ピン４９を介して接続部４８に伝達される。図７に示すように、接続部４８が横ガイド孔４５内を下流側へ移動する。これに伴い、スイッチ部６１が縦ガイド孔４６内及び縦ガイド孔５８内を下流側へ移動する。そして、接続部４８が、横ガイド孔４５の最下流部まで移動し、押圧部６２の一部（下流端部）が、ノブ本体５６から下流側へ突出すると、空調用レジスタの各部は上述した図５（ａ）及び図７の状態に戻る。
【００９４】
表現を変えると、押圧部６２の下流側への移動が、接続部４８及び両係合ピン４９を介して駆動レバー８１及びレバー８５に伝達されて、同駆動レバー８１及びレバー８５が支軸８２を支点として、時計回り方向へ傾動される。
【００９５】
また、図５（ａ）に示すように、リンク部材９１の上記移動は、ピン８８及び従動レバー８７を介してシャットダンパ７５に伝達される。この伝達により、シャットダンパ７５は、ダンパ軸７８を支点として、通風路１３を開く側、この場合、図５（ｂ）の時計回り方向へ傾動される。
【００９６】
このように、第１実施形態によれば、操作ノブ５５におけるスイッチ部６１を押圧操作することで、同スイッチ部６１をノブ本体５６に対し上流側又は下流側へ移動させることができる。そして、このスイッチ部６１の上記流れ方向における動きを、伝達機構８０により回転運動に変換してダンパ軸７８に伝達することで、シャットダンパ７５を、開位置と閉位置との間で傾動させ、通風路１３を開放及び閉鎖することができる。従って、シャットダンパ７５を傾動させるための従来の操作ダイヤルが不要となる。操作ダイヤルを配置するためのスペースと、操作ダイヤルを支持する構造を配置するためのスペースとが不要となり、吹出口１４周りがすっきりし、空調用レジスタの見栄えを向上させることができる。
【００９７】
また、シャットダンパ７５は、下流フィン４０及び上流フィン６６，６７よりも上記流れ方向における上流に位置していて、吹出口１４から遠ざかっている。そのため、通風路１３を開放及び閉鎖する部分（シャットダンパ７５）が下流側から見えにくく、この点でも空調用レジスタの見栄えが向上する。
【００９８】
さらに、特許文献２のように、スイッチ部が回動操作される場合には、同スイッチ部が操作ノブの外観形状に影響を大きく及ぼす。操作ノブが円柱状となり、高さの低い直方体状をなす一般的な操作ノブの外観形状と大きく異なる。これに対し、第１実施形態では、スイッチ部６１は、上記流れ方向における上流側又は下流側に移動するものであり、操作ノブ５５の一部により構成されている。そのため、スイッチ部６１が操作ノブ５５の外観形状に及ぼす影響は少ない。操作ノブ５５の外観形状が、一般的な操作ノブの外観形状に対し大きく変わることがなく、この点でも、空調用レジスタの見栄えが向上する。
【００９９】
第１実施形態によると、上記以外にも、次の効果が得られる。
・上記特許文献１では、空調用空気の吹き出し方向の調整を行う上流フィン又は下流フィンが、通風路を開放及び閉鎖する役割を兼ねている。そのため、空調用空気の吹き出し方向の調整と、通風路の開放及び閉鎖とを別々に行うことができず、不便である。
【０１００】
この点、第１実施形態では、上流フィン６６，６７及び下流フィン４０とは別にシャットダンパ７５を設けている。空調用空気Ａ１の吹き出し方向の調整を、上流フィン６６，６７及び下流フィン４０によって行い、通風路１３の開放及び閉鎖をシャットダンパ７５で行うようにしている。そのため、空調用空気Ａ１の吹き出し方向の調整と、通風路１３の開放及び閉鎖とを別々に行うことができ、操作性がよい。
【０１０１】
・上記特許文献１では、硬質材料によって形成された上流フィン又は下流フィンを傾動させて通風路を閉鎖する際に、隣り合う上流フィン（又は下流フィン）同士が衝突して異音を発生する。この点、第１実施形態では、シャットダンパ７５を傾動させて通風路１３を閉鎖する際に、硬質材料によって形成されたリテーナ１０に対し、それよりも軟質の材料によって形成されたシール部材７７が接触する。そのため、通風路１３の閉鎖時に異音が発生するのを抑制することができる。
【０１０２】
（第２実施形態）
次に、車両用の空調用レジスタに具体化した第２実施形態について、図９〜図１１を参照して、第１実施形態との相違点を中心に説明する。
【０１０３】
図９及び図１０に示すように、第２実施形態の操作ノブ５５では、ノブ本体５６がスイッチ部６１に対し、左右方向への相対移動を許容された状態で組み付けられている。また、スイッチ部６１、伝達部４７及び左右の両係合ピン４９は、下流フィン本体４１に対し、左右方向へのスライドを規制された状態で取り付けられている。
【０１０４】
より詳しくは、第２実施形態では、左右方向における縦ガイド孔４６の寸法が、第１実施形態よりも小さい値（スイッチ部６１の連結部６３の寸法よりも僅かに大きな値）に設定されている。また、第２実施形態では、左右方向における押圧部６２の寸法が、連結部６３の寸法と同一又は略同一に設定されている。そのため、接続部４８は、横ガイド孔４５内を上流側又は下流側へ移動可能であるが、左右方向への移動を規制される。
【０１０５】
上記以外の構成は第１実施形態と同様である。そのため、第１実施形態で説明したものと同様の要素には同一の符号を付し、重複する説明を省略する。
従って、第２実施形態によると、基本的には、第１実施形態と同様の作用及び効果が得られる。
【０１０６】
そのほかにも第１実施形態では、ノブ本体５６が、下流フィン本体４１に対し左右方向へスライドされると、伝達部４７及び両係合ピン４９もノブ本体５６と一緒に同方向へ移動する。しかし、第２実施形態では、例えば図１０において二点鎖線の矢印で示すように、ノブ本体５６に対し右方へ向かう力が加えられると、図１１（ａ）に示すように、ノブ本体５６が同方向へスライドするのみで、伝達部４７及び左右の両係合ピン４９は、同方向へ移動しない。従って、第１実施形態では、伝達部４７及び両係合ピン４９が左右方向へ移動するスペースが必要となるが、第２実施形態では、そういったスペースが不要となり、その分、空調用レジスタの左右方向の小型化を図ることができる。
【０１０７】
なお、第２実施形態では、ノブ本体５６が左方又は右向へスライドされると、第１実施形態と同様に、フォーク部６４がノブ本体５６と一緒に同方向へスライドする。そのため、第１実施形態と同様に、上流フィン軸６８を支点として、上流フィン６６，６７を、ノブ本体５６と同方向へ傾動させ、空調用空気Ａ１の吹き出し方向を変える効果が得られる。
【０１０８】
ところで、図１０において二点鎖線の矢印で示すように、押圧部６２に対し上流側へ向かう力が加えられると、図１１（ｂ）に示すように、押圧部６２が第１実施形態と同様に上流側へ移動し、押圧部６２に対し連結部６３を介して連結された接続部４８が横ガイド孔４５内を上流側へ移動する。
【０１０９】
（第３実施形態）
次に、車両用の空調用レジスタに具体化した第３実施形態について、図１２〜図１４を参照して説明する。
【０１１０】
図１２及び図１３に示すように、第３実施形態では、下流フィン本体４１と伝達部４７とが一体形成されていて、下流フィン４０が単一の部品によって構成されている。左右方向における下流フィン４０の両端部には、同方向へ延びる下流フィン軸３９がそれぞれ設けられている。両下流フィン軸３９は、上記流れ方向における下流フィン４０の下流部に位置している。
【０１１１】
両側壁部１５，１６の下流部には、第１実施形態と同様の軸受孔２２が形成されている。
下流フィン４０は、両下流フィン軸３９において上記軸受孔２２に支持されており、両下流フィン軸３９を支点として上下方向へ傾動可能であり、かつ同軸受孔２２に沿って上流側及び下流側へ移動可能である。
【０１１２】
また、下流フィン４０には、上流端縁から下流端縁に向けて延びる切欠部４４が形成されている。切欠部４４は、左右方向における下流フィン４０の中央部分に形成されている。
【０１１３】
下流フィン４０には、第１及び第２実施形態と異なり、横ガイド孔４５及び縦ガイド孔４６が形成されていない。
また、第３実施形態では、ノブ本体５６とスイッチ部６１とが一体形成されていて、スイッチ部６１が操作ノブ５５の全体により構成されている。操作ノブ５５に横ガイド孔５７は形成されているが、縦ガイド孔５８は形成されていない。
【０１１４】
操作ノブ５５の左右方向の寸法は、切欠部４４の同方向の寸法よりも小さく設定されている。そして、操作ノブ５５は、横ガイド孔５７において、下流フィン４０において切欠部４４の設けられた箇所に装着されている。操作ノブ５５は、下流フィン４０に対し、左右方向へはスライド可能であるが、上流側及び下流側への移動を規制されている。
【０１１５】
左側の下流フィン軸３９は、駆動レバー８１における長孔８４に係合されている。右側の下流フィン軸３９は、レバー８５における長孔８６に係合されている。そして、スイッチ部６１の移動を駆動レバー８１に伝達して、支軸８２を支点として同駆動レバー８１を傾動させる伝達部４７は、第３実施形態では、下流フィン４０及び両下流フィン軸３９により構成されている。
【０１１６】
上記以外の構成は、第２実施形態と同様である。そのため、第２実施形態で説明したものと同様の要素には同一の符号を付し、重複する説明を省略する。
第３実施形態では、スイッチ部６１を構成する操作ノブ５５の全体に対し，上記流れ方向における一方、例えば、図１３において二点鎖線の矢印で示すように、上流へ向かう方向の力が加えられて、図１４（ｂ）に示すように、上流側へ移動されると、下流フィン４０は、操作ノブ５５と一緒に上流側へ移動する。この移動は、伝達機構８０における伝達部４７、この場合、下流フィン４０及び下流フィン軸３９を介して、駆動レバー８１の長孔８４と、レバー８５の長孔８６とに伝達される。これらの伝達により、駆動レバー８１及びレバー８５が支軸８２を支点として傾動される。この傾動は、リンク部材９１、従動レバー８７及びダンパ軸７８を介してシャットダンパ７５に伝達される。
【０１１７】
また、図１３に示す中立状態の操作ノブ５５に対し、車幅方向の一方、例えば二点鎖線の矢印で示すように、右方に向かう力が加えられると、図１４（ａ）に示すように、同操作ノブ５５がフォーク部６４を伴い、下流フィン４０上を同方向へスライドする。そのため、第２実施形態と同様に、上流フィン軸６８を支点として、上流フィン６６，６７が操作ノブ５５と同方向へ傾動され、空調用空気Ａ１の吹き出し方向が変えられる。
【０１１８】
従って、第３実施形態によると、第２実施形態と同様の作用及び効果が得られるほか、空調用レジスタの構成部材の部品点数を第２実施形態よりも少なくすることができる。
なお、上述した各実施形態は、これを以下のように変更した変形例として実施することもできる。
【０１１９】
・下流フィン４０が複数設けられてもよい。操作ノブ５５は、複数の下流フィン４０のうちの１つに装着される。
・スイッチ部６１が、同スイッチ部６１を手で引っ張ることにより、下流側へ移動されるものであってもよい。
【０１２０】
・上記空調用レジスタは、車室内においてインストルメントパネルとは異なる箇所、例えばダッシュボードに組込まれるタイプにも適用可能である。
・上記空調用レジスタは、空調装置から送られてきて吹出口１４から室内に吹き出す空調用空気Ａ１の向きを変更することに加え、通風路１３を開放及び閉鎖する機能を有するものであれば、車両用に限らず他の分野用の空調用レジスタとして広く適用可能である。
【０１２１】
＜その他＞
・発光ダイオード（ＬＥＤ）等の発光素子からなる光源を用いる。そして、シャットダンパ７５を閉位置にするための位置までスイッチ部６１を移動させた場合、又は、シャットダンパ７５を開位置にするための位置までスイッチ部６１を移動させた場合に、光源を発光させてもよい。
【０１２２】
・伝達機構８０において、相対移動する２つの構成部材のそれぞれに突部を設ける。そして、スイッチ部６１に対し、シャットダンパ７５を閉位置にするための位置まで移動させる操作が行なわれた場合に、一方の構成部材における突部が他方の構成部材における突部を乗り越えるようにしてもよい。
【０１２３】
この場合、乗り越えの際に、少なくとも一方の構成部材が弾性変形する。そして、一方の突部が他方の突部を乗り越える途中には、弾性変形量が増加することで、スイッチ部６１の操作荷重が増大する。その後、弾性変形した方の構成部材が弾性復元力によって元の形状に戻ろうとすることで、操作荷重が減少する。この操作荷重の変化（増減）により、スイッチ部６１を操作した者は、スイッチ部６１が、シャットダンパ７５を閉位置にするための位置まで移動したことを把握することができる。
【符号の説明】
【０１２４】
１０…リテーナ、１３…通風路、１４…吹出口、３９…下流フィン軸、４０…下流フィン、４１…下流フィン本体、４７…伝達部、４８…接続部、４９…係合ピン、５５…操作ノブ、５６…ノブ本体、６１…スイッチ部、６６，６７…上流フィン、６８…上流フィン軸、７５…シャットダンパ、７８…ダンパ軸、８０…伝達機構、８１…駆動レバー、８２…支軸、８３，８８…ピン、８７…従動レバー、９１…リンク部材、９７…被把持部、９８…ラッチ機構（把持部）、９９…弾性部材、Ａ１…空調用空気、Ｈ１…保持機構、Ｒ１…復帰機構。
【図１】
2020015374.tif 000003
【図２】
2020015374.tif 000004
【図３】
2020015374.tif 000005
【図４】
2020015374.tif 000006
【図５】
2020015374.tif 000007
【図６】
2020015374.tif 000008
【図７】
2020015374.tif 000009
【図８】
2020015374.tif 000010
【図９】
2020015374.tif 000011
【図１０】
2020015374.tif 000012
【図１１】
2020015374.tif 000013
【図１２】
2020015374.tif 000014
【図１３】
2020015374.tif 000015
【図１４】
2020015374.tif 000016